(57)【要約】【課題】衛生的に保つための手間を減らした排水トラップの提供にある。【解決手段】排水トラップ１００は、トラップ本体１０の内部を流れる水の力により発電する発電部３０と、発電部３０が発電した電力を利用して排水トラップ１００の内部に紫外線を照射する光源４０と、を備える。排水トラップ１００は、トラップ本体１０に対して回転自在に支持され、トラップ本体１０の内部を流れる水の力により回転を力を発生させる回転翼２６を有する椀トラップ２０をさらに備え、発電部は、回転翼２６が発生させる回転力により発電してもよい。発電部３０は、蓄電部をさらに備え、蓄電部は、発電部が発電した電力を蓄えるとともに、蓄えた電力を光源４０に供給して紫外線を照射させてもよい。【選択図】図１
2014088666.tif 000002
【特許請求の範囲】
【請求項１】
流水により発電する発電部と、
前記発電部が発電した電力を利用してトラップ本体の内部に紫外線を照射する光源と、
を備えることを特徴とする排水トラップ。
【請求項２】
前記トラップ本体に対して回転自在に支持され、前記トラップ本体内の流水により回転力を発生させる回転翼を有する椀トラップをさらに備え、
前記発電部は、前記回転翼が発生させる回転力により発電することを特徴とする請求項１に記載の排水トラップ。
【請求項３】
前記トラップ本体に着脱可能に固定される支持部材をさらに備え、
前記椀トラップは、前記支持部材に回転自在に支持されることを特徴とする請求項２に記載の排水トラップ。
【請求項４】
前記発電部は、蓄電部をさらに備え、
前記蓄電部は、前記発電部が発電した電力を蓄えるとともに、蓄えた電力を前記光源に供給して紫外線を照射させることを特徴とする請求項１から３のいずれかに記載の排水トラップ。
【請求項５】
前記光源は、波長２００ｎｍ以上３６０ｎｍ未満の波長帯域に含まれる紫外線を照射する発光ダイオードであることを特徴とする請求項１から４のいずれかに記載の排水トラップ。
【発明の詳細な説明】
【技術分野】
【０００１】
本発明は、排水トラップに関し、特に、排水トラップ内部に紫外線を照射する装置に関する。
【背景技術】
【０００２】
台所や浴室などの水回り設備における排水部には、排水管から上がってくる悪臭を封水により防ぐ排水トラップが一般に設けられる。排水トラップは、排水時に水が流れる場合を除いて常時封水が溜められていることから、雑菌などが繁殖しやすく、衛生を保つためにはこまめに清掃したり薬剤を投入したりする必要があり手間がかかっていた。
【０００３】
排水トラップを衛生的に保つための装置として、例えば、排水トラップに紫外線光源を設けてその内部に紫外線を照射することで増殖する雑菌を死滅させるとともに、有機物などの汚れを分解させる装置が挙げられる（特許文献１、２参照）。
【先行技術文献】
【特許文献】
【０００４】
【特許文献１】特開２００１−１１２８５５号公報
【特許文献２】特開２００３−８２７３３号公報
【発明の概要】
【発明が解決しようとする課題】
【０００５】
排水トラップに設ける紫外線光源を点灯させるための電源を考慮した場合に、例えば、商用電源を利用したとすると、光源に電力を供給するための配線工事が必要となるため、既設の排水トラップに紫外線光源を設ける場合には手間とコストがかかることとなる。
【０００６】
一方で、電源として電池を利用すれば配線工事は不要であるが、電池切れとなった電池を交換する必要があり、そのたびに排水トラップの手入れが必要となる。また、排水トラップは頻繁に手入れをしないことが多いため、電池切れに気付かずに放置してしまうと、せっかくの機能を発揮できず、排水トラップの衛生を保てなくなるおそれがある。
【０００７】
本発明はこうした課題に鑑みてなされたものであり、衛生的に保つための手間を減らした排水トラップの提供にある。
【課題を解決するための手段】
【０００８】
上記課題を解決するために、本発明のある態様の排水トラップは、流水により発電する発電部と、前記発電部が発電した電力を利用してトラップ本体の内部に紫外線を照射する光源と、を備える。
【０００９】
上記態様の排水トラップによれば、紫外線照射により排水トラップの内部における雑菌等の繁殖を防ぐことができるため、排水トラップを衛生的に保つための手間を減らすことができる。また、流水により発電された電力を利用して排水トラップの内部に紫外線を照射するため、商用電源に接続する配線工事は不要であり、また電池を利用していないことから電池交換も不要であることから、これらの手間を省くことができる。
【００１０】
上記態様の排水トラップにおいて、トラップ本体に対して回転自在に支持され、トラップ本体内の流水により回転力を発生させる回転翼を有する椀トラップをさらに備え、前記発電部は、前記回転翼が発生させる回転力により発電してもよい。
【００１１】
上記態様の排水トラップにおいて、トラップ本体に着脱可能に固定される支持部材をさらに備え、椀トラップは、支持部材に回転自在に支持されてもよい。
【００１２】
上記態様の排水トラップにおいて、前記発電部は、蓄電部をさらに備え、前記蓄電部は、前記発電部が発電した電力を蓄えるとともに、蓄えた電力を前記光源に供給して紫外線を照射させてもよい。
【００１３】
上記態様の排水トラップにおいて、光源は、波長２００ｎｍ以上３６０ｎｍ未満の波長帯域に含まれる紫外線を照射する発光ダイオードであってもよい。
【発明の効果】
【００１４】
本発明の排水トラップによれば、衛生的に保つための手間を減らすことができる。
【図面の簡単な説明】
【００１５】
【図１】実施形態に係る排水トラップを示す図である。
【図２】図１のＡ−Ａ線断面を示す図である。
【発明を実施するための形態】
【００１６】
以下、本発明の実施の形態を図面を参照して説明する。なお、すべての図面において、同様な構成要素には同様の符号を付し、適宜説明を省略する。
【００１７】
図１は、実施形態に係る排水トラップ１００を示し、図２は、図１のＡ−Ａ線断面を示す。排水トラップ１００は、台所や浴室の水回り設備に設けられ、光源４０から照射する紫外線により、排水トラップ内部の雑菌を死滅させ、汚れなどの有機物を分解させることにより衛生を保つ。このとき光源４０は、排水時に回転翼２６に当たる流水により発電部３０を回転軸３２を中心に回転させて発電した電力を利用する。
【００１８】
排水トラップ１００は、トラップ本体１０と、椀トラップ２０と、支持部材３６と、封水筒６０と、を備える。トラップ本体１０は、樹脂により円筒状に形成されており、上端に円形開口である排水口１２を有し、下端に底部１４を有する。底部１４は、排水管７０と接続される排出口１６が設けられる。トラップ本体１０の側面には、支持部材３６を固定するための係止部１８が設けられる。また、排水口１２を覆うように、ごみ受け５０が設けられ、排水口１２から流入する排水に含まれる異物を除去する。
【００１９】
封水筒６０は、トラップ本体１０の内部に設けられて、排水の一部を封水８０として溜める円筒形状の樹脂体である。封水筒６０は、下端６４がトラップ本体１０の排出口１６に接続され、上端６２は開口している。このため、トラップ本体１０の内部に流入した排水は、トラップ本体１０と封水筒６０により囲まれる領域に溜められ、排水が上端６２を超える水位となった場合に、上端６２の開口から封水筒６０の内側に流入して排出口１６を通じて排水管７０に排出される。
【００２０】
椀トラップ２０は、側面部２２と底部２４を有する椀形状の樹脂体であり、トラップ本体１０の内部に収納され、底部２４を上側として封水筒６０の上端６２の開口に被さるように設けられる。椀トラップ２０は、回転翼２６と、発電部３０と、複数の光源４０を備え、発電部３０の回転軸３２及び支持部材３６により、トラップ本体１０に対して回転自在に支持される。
【００２１】
回転翼２６は、側面部２２の内側であって、側面部２２の開口端２２ａの近傍に設けられる。図２に示すように、回転翼２６は、５枚の翼部２６ａを有し、翼部２６ａの一端２６ｂは側面部２２に接続され、他端２６ｃが保護部２８に接続される。保護部２８は、椀トラップ２０が回転する際に翼部２６ａが封水筒６０に接触しないよう翼部２６ａを保護する円筒部材であり、封水筒６０の径よりも少し大きな径を有する。
【００２２】
発電部３０は、回転軸３２を回転させることにより起電力を生じる発電機であり、例えば、直流モータにより構成される。発電部３０は、底部２４に設けられ、回転軸３２が椀トラップ２０の回転中心軸と一致するように設けられる。回転軸３２の先端は、支持部材３６に設けられる軸受部３４に固定される。これにより、発電部３０は、トラップ本体１０に対して固定された回転軸３２を中心に回転して発電する。発電部３０は、光源４０と電気的に接続されており、発電した電力を光源４０に供給する。なお、発電部３０は、光源４０の発光に必要な電圧を得るための電圧変換素子を備え、この電圧変換素子を介して光源４０と電気的に接続されてもよい。
【００２３】
光源４０は、側面部２２の内壁及び外壁に複数設けられる。光源４０は、発電部３０と電気的に接続されており、発電部３０が発電した電力を利用して紫外線を照射する。光源４０は、中心波長又はピーク波長が約２００ｎｍ〜３６０ｎｍの波長帯域に含まれる紫外線を照射するＬＥＤ（Light Emitting Diode）であり、このようなＬＥＤとして、窒化アルミニウムガリウム（ＡｌＧａＮ）を用いたものが知られている。なお、殺菌効果を高めるためには、光源４０として、中心波長が２６０ｎｍ付近の殺菌線と呼ばれる紫外線を照射できるものを選択することが望ましい。
【００２４】
支持部材３６は、トラップ本体１０の内部に椀トラップ２０を懸垂した状態で支持するための円板状の樹脂体である。支持部材３６は、回転軸３２を固定する軸受部３４と、排水を通すための通水孔３８を備える。支持部材３６は、椀トラップ２０を軸受部３４で支持した状態で、係止部１８に嵌め込まれてトラップ本体１０に固定される。このような構成とすることで、既設の排水トラップに対して、本実施形態に係る椀トラップ２０及び支持部材３６を容易に組み込むことができる。また、トラップ本体１０や封水筒６０の清掃するために、排水トラップ１００の分解を容易にする。
【００２５】
以上の構成による排水トラップ１００の動作を説明する。
排水口１２から流れ込む排水は、図１のＸ１のように、支持部材３６の通水孔３８を通って、トラップ本体１０と椀トラップ２０との間の領域に流れ込む。その後、Ｘ２のようにして、椀トラップ２０の開口端２２ａにおいて椀トラップ２０の内側の領域に回り込む。そして、Ｘ３のように、封水筒６０の上端６２から封水筒６０の内部へ流れ込み、排水管７０へと排出される。このとき、Ｘ２のように流水が回転翼２６に当たることで、椀トラップ２０に回転力が生じ、回転軸３２を中心にして椀トラップ２０が回転する。これにより、発電部３０が発電し、その発電した電力を利用して光源４０は排水トラップ１００の内部に紫外線を照射することができる。
【００２６】
本発明は、上述の各実施の形態に限定されるものではなく、当業者の知識に基づいて各種の設計変更等の変形を加えることも可能であり、そのような変形が加えられた実施の形態も本発明の範囲に含まれうるものである。
【００２７】
発電部３０は、発電部３０が発電した電力を蓄えるための蓄電部をさらに備えていてもよい。蓄電部は、リチウムイオン電池またはニッケル水素電池などの二次電池や、電気二重層コンデンサなどの電荷を静電気力で蓄えるコンデンサ等で構成され、発電部３０が発電した電力を蓄え、蓄えた電力を光源４０に供給して紫外線を照射させる。例えば、台所において食器の洗い物をする場合や、浴室において浴槽の水を抜く場合など、所定時間連続して排水される際に発電した電力を蓄電部に蓄え、排水のないときに蓄えた電力を利用して紫外線を照射する。雑菌等は、排水が定期的にされずに封水８０が溜まっているときに増殖しやすいため、排水のないときに蓄電部に蓄えられた電力を利用して紫外線を照射することで、雑菌の増殖を効果的に抑えて排水トラップの衛生を保つことができる。
【符号の説明】
【００２８】
１０…トラップ本体、１２…排水口、２０…椀トラップ、２６…回転翼、３０…発電部、３２…回転軸、３６…支持部材、４０…光源、６０…封水筒、７０…排水管、１００…排水トラップ。
【図１】
2014088666.tif 000003
【図２】
2014088666.tif 000004